(57)【要約】【課題】  携帯端末が間欠受信動作の受信処理を行うタイミングを少なくする消費電力削減モードを実行している場合に、着信可能なタイミングが少なくなることにより、発信側に疑念を抱かせることがない無線通信システムを提供する。【解決手段】  本発明の無線通信システム１００は、携帯端末１１０が、消費電力削減モードを実行可能であり、消費電力削減モードを実行する場合に、当該携帯端末１１０が消費電力削減モードを実行することを含む情報を基地局１２０に送信する制御部１５０を備え、基地局１２０が、携帯端末１１０から受信した情報を記憶する記憶部１５２と、携帯端末１１０へ接続要求があると、記憶部１５２を参照して携帯端末１１０が消費電力削減モードを実行しているか否かを確認し、消費電力削減モードを実行している場合には接続要求元に対しその旨を通知する制御部１７０とを備えることを特徴とする。【選択図】図６
2013172299.tif 000002
【特許請求の範囲】
【請求項１】
携帯端末と基地局とを含む無線通信システムであって、
前記携帯端末は、
間欠受信動作の受信処理を行うタイミングを少なくする消費電力削減モードを実行可能であり、該消費電力削減モードを実行する場合に、当該携帯端末が該消費電力削減モードを実行することを含む情報を前記基地局に送信する制御部を備え、
前記基地局は、
前記携帯端末から受信した前記情報を記憶する記憶部と、
前記携帯端末へ接続要求があると、該消費電力削減モードを実行している場合には接続要求元に対しその旨を通知する制御部とを備えることを特徴とする無線通信システム。
【請求項２】
前記携帯端末の制御部は、前記消費電力削減モードの前記受信処理を行うタイミングの間隔を一定とし、該タイミングの間隔を前記情報に含ませ、
前記基地局の制御部は、前記接続要求元に対し前記消費電力削減モードを実行していることを通知する際に、前記タイミングの間隔に基き着信予定時間を通知することを特徴とする請求項２に記載の無線通信システム。
【請求項３】
前記接続要求が音声通信の接続要求であることを特徴とする請求項１または２に記載の無線通信システム。
【請求項４】
間欠受信動作の受信処理を行うタイミングを少なくする消費電力削減モードを実行可能な携帯端末であって、
前記消費電力削減モードを実行する場合に、該消費電力削減モードを実行することを含む情報を基地局に送信する制御部を備えることを特徴とする携帯端末。
【請求項５】
携帯端末から受信した、当該携帯端末が間欠受信動作の受信処理を行うタイミングを少なくする消費電力削減モードを実行することを含む情報を記憶する記憶部と、
前記携帯端末へ接続要求があると、前記記憶部を参照して前記携帯端末が前記消費電力削減モードを実行しているか否かを確認し、該消費電力削減モードを実行している場合には接続要求元に対してその旨を通知する制御部とを備えることを特徴とする基地局。
【請求項６】
携帯端末が、間欠受信動作の受信処理を行うタイミングを少なくする消費電力削減モードを実行する場合に、該消費電力削減モードを実行することを含む情報を基地局に送信し、
前記基地局が、前記情報を受信して記憶し、
前記基地局が、前記携帯端末へ接続要求があると、前記記憶部を参照して前記携帯端末が前記消費電力削減モードを実行しているか否かを確認し、該消費電力削減モードを実行している場合には接続要求元に対しその旨を通知することを特徴とする無線通信方法。
【発明の詳細な説明】
【技術分野】
【０００１】
本発明は、携帯端末と基地局とを含む無線通信システム、携帯端末、基地局、および無線通信方法に関する。
【背景技術】
【０００２】
携帯端末は、待受け時に、基地局と同期する間欠受信動作の受信処理を通常一定の間隔で行っている。対して、特許文献１には、かかる間欠受信動作に関し、２つの間欠受信モードすなわち間欠受信動作の受信処理を一定の間隔で行う通常モードと省エネモード（本願の消費電力削減モードに相当）とを実行可能な技術が開示されている。省エネモードでは、通常モードと比べて、間欠受信動作の受信処理を行うタイミングをランダムに間引くことで消費電力を削減するとしている。
【先行技術文献】
【特許文献】
【０００３】
【特許文献１】特開平１０−２０９９４３号公報
【発明の概要】
【発明が解決しようとする課題】
【０００４】
しかしながら、携帯端末は、間欠受信動作の受信処理を行うタイミングで着信する。したがって、特許文献１に記載のように省エネモードを実行して間欠受信動作の受信処理を行うタイミングを少なくすると、着信可能なタイミング自体が少なくなってしまう。これより、発信側から見ると、着信側が省エネモードを実行している場合、着信するまでの時間が延びることとなる。そのため、発信側に電波状況が悪いのか端末の故障かといった疑念を与えてしまい、応答する前に切られてしまうおそれがある。
【０００５】
本発明は、上記課題に鑑みてなされたものであり、携帯端末が間欠受信動作の受信処理を行うタイミングを少なくする消費電力削減モードを実行している場合に、着信可能なタイミングが少なくなることにより、発信側に疑念を抱かせることがない無線通信システム、携帯端末、基地局、および無線通信方法を提供することを目的とする。
【課題を解決するための手段】
【０００６】
上記課題を解決するために本発明にかかる無線通信システムの構成は、携帯端末と基地局とを含む無線通信システムであって、携帯端末は、間欠受信動作の受信処理を行うタイミングを少なくする消費電力削減モードを実行可能であり、消費電力削減モードを実行する場合に、当該携帯端末が消費電力削減モードを実行することを含む情報を基地局に送信する制御部を備え、基地局は、携帯端末から受信した情報を記憶する記憶部と、携帯端末へ接続要求があると、記憶部を参照して携帯端末が消費電力削減モードを実行しているか否かを確認し、消費電力削減モードを実行している場合には接続要求元に対しその旨を通知する制御部とを備えることを特徴とする。
【０００７】
携帯端末の制御部は、消費電力削減モードの受信処理を行うタイミングの間隔を一定とし、タイミングの間隔を情報に含ませ、基地局の制御部は、接続要求元に対し消費電力削減モードを実行していることを通知する際に、タイミングの間隔に基き着信予定時間を通知するとよい。
【０００８】
上記の接続要求が音声通信の接続要求であるとよい。
【０００９】
上記課題を解決するために本発明にかかる携帯端末の構成は、間欠受信動作の受信処理を行うタイミングを少なくする消費電力削減モードを実行可能な携帯端末であって、消費電力削減モードを実行する場合に、消費電力削減モードを実行することを含む情報を基地局に送信する制御部を備えることを特徴とする。
【００１０】
上記課題を解決するために本発明にかかる基地局の構成は、携帯端末から受信した、当該携帯端末が間欠受信動作の受信処理を行うタイミングを少なくする消費電力削減モードを実行することを含む情報を記憶する記憶部と、携帯端末へ接続要求があると、消費電力削減モードを実行している場合には接続要求元に対してその旨を通知する制御部とを備えることを特徴とする。
【００１１】
上記課題を解決するために本発明にかかる無線通信方法の構成は、携帯端末が、間欠受信動作の受信処理を行うタイミングを少なくする消費電力削減モードを実行する場合に、消費電力削減モードを実行することを含む情報を基地局に送信し、基地局が、情報を受信して記憶し、基地局が、携帯端末へ接続要求があると、記憶部を参照して携帯端末が消費電力削減モードを実行しているか否かを確認し、消費電力削減モードを実行している場合には接続要求元に対しその旨を通知することを特徴とする。
【発明の効果】
【００１２】
本発明によれば、間欠受信動作の受信処理を行うタイミングを少なくする消費電力削減モードを実行している場合に、当該携帯端末に対し発信する発信側に消費電力削減モードを実行していること、すなわち着信するまでの時間が延びていることを通知することができる。したがって、発信側に、電波状況が悪いのか端末の故障かといった疑念を抱かせてしまったり、応答する前に切られてしまったりすることを回避できる。
【図面の簡単な説明】
【００１３】
【図１】本発明の実施形態にかかる無線通信システムの概略的な接続関係を示した説明図である。
【図２】図１に示す携帯端末、基地局の概略的な構成を示したブロック図である。
【図３】図１に示す携帯端末の間欠受信動作の説明図である。
【図４】図１に示す携帯端末のモード設定に関する流れ図である。
【図５】図１に示す携帯端末の着信に関する流れ図である。
【図６】図１に示す携帯端末の消費電力削減モードを実行する場合の基地局との概略的な相互のやりとりを示した説明図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
図１は、本発明の実施形態にかかる無線通信システム１００の概略的な接続関係を示した説明図である。無線通信システム１００は、携帯端末１１０と、他の携帯端末１１２と、基地局１２０と、他の基地局１２２と、有線ネットワーク１３０と、中継サーバ１４０とを含んで構成される。無線通信システム１００において、ユーザが自身の携帯端末１１０から他の携帯端末１１２へ発信する場合、携帯端末１１０は通信可能範囲内にある基地局１２０に無線接続要求を行う。無線接続要求を受信した基地局１２０は、有線ネットワーク１３０を介して中継サーバ１４０に発信先である他の携帯端末１１２への接続要求を行う。中継サーバ１４０は、他の携帯端末１１２の位置登録情報を参照して他の携帯端末１１２の無線通信範囲内にある他の基地局１２２との通信経路を確保する。他の基地局１２２は、他の携帯端末１１２への接続要求に基き、他の携帯端末１１２に無線接続要求を行う。このようにして、携帯端末１１０と他の携帯端末１１２との通信を確立する。なお、他の携帯端末１１２から携帯端末１１０へ発信する場合、接続要求は反対に伝えられていくこととなるが基本的な流れは上記と同様である。
【００１６】
図２は携帯端末１１０、基地局１２０の概略的な構成を示したブロック図であり、図２（ａ）が携帯端末１１０のブロック図、図２（ｂ）が基地局１２０のブロック図である。図２（ａ）に示すように、携帯端末１１０は、制御部１５０、記憶部１５２、表示部１５４、入力操作部１５６、無線通信部１５８、音声入力部１６０、音声出力部１６２を含んで構成される。
【００１７】
制御部１５０は中央処理装置いわゆるＣＰＵを含んで構成され、当該携帯端末１１０を制御する。記憶部１５２は、ＲＯＭやＲＡＭ、フラッシュメモリ等で構成され、制御部１５０が実行するプログラムを記憶する。また、記憶部１５２は、各種情報を記憶する。本実施形態において、制御部１５０は記憶部１５２に記憶されたプログラムに基き、間欠受信動作に関し２つの間欠受信モードを実行する。
【００１８】
図３は、図１に示す携帯端末の間欠受信動作の説明図である。図１（ａ）が１つめの間欠受信モードである通常モードの説明図であり、図１（ｂ）が２つめの間欠受信モードである消費電力削減モードの説明図である。
【００１９】
図３（ａ）に示すように、通常モードでは、通常のタイミング１０２（通常の態様）で間欠受信動作の受信処理を行う。例えば、ＬＴＥ（Long Term Evolution）の場合には受信処理を行うタイミングの間隔１０２ａは２．５秒または５秒で一定となり、ＣＤＭＡ（Code Division Multiple Access）の場合には５秒で一定となる。間欠受信動作の受信処理を行う度に電力が消費されるので、受信処理を行うタイミング１０２が多い程、消費電力は増大する。
【００２０】
対して、図３（ｂ）に示すように、消費電力削減モードでは、間欠受信動作の受信処理を行うタイミング１０２を少なくすることで、消費電力を削減する。本実施形態では、消費電力削減モードでは、通常モードと比べて受信処理を行うタイミングの間隔１０２ｂを長くする（Ｎ倍する）。これは通常モードの受信処理を行うタイミング１０２を間引いて実現される。よって、消費電力削減モードのタイミングの間隔１０２ｂも一定となる。
【００２１】
図２（ａ）の携帯端末１１０の説明に戻る。表示部１５４は、液晶ディスプレイやＥＬ(Electro Luminescence)ディスプレイ等とそのコントローラで構成され、ユーザに画像で情報を表示する。例えばアプリケーションのＧＵＩ（Graphical User Interface）を表示する。入力操作部１５６は、テンキーや十字キーなどのスイッチ、ジョイスティック等で構成され、ユーザの入力操作を受け付ける。なお、タッチパネルディスプレイのような表示部１５４と入力操作部１５６を兼ねるものを備えてもよい。上述した通常モードと消費電力削減モードとのモード変更は、かかる入力操作部１５６からの入力操作により実行することができる。また、かかる入力操作部１５６からの入力操作により消費電力削減モードのタイミングの間隔１０２ｂを設定することができる。
【００２２】
無線通信部１５８は、ＬＴＥやＣＤＭＡ、ＷｉＭＡＸ（Worldwide Interoperability for Microwave Access）等の所定の無線通信方式により基地局１２０との無線通信を確立する。
【００２３】
音声入力部１５８は、マイク等の音声認識手段で構成され、通話時に入力されたユーザの音声を携帯端末１１０内で処理可能な電気信号に変換する。音声出力部１６０は、スピーカで構成され、例えば他の携帯端末１１２との音声通信において、その音声信号を音声に変えて出力する。また、音声出力部１６２は、着信音や、入力操作部１５６の操作音、アラーム音等も出力する。
【００２４】
図２（ｂ）に示すように、基地局１２０は、制御部１７０、記憶部１７２、無線通信部１７４、ネットワーク接続部１７６を含んで構成される。
【００２５】
制御部１７０は中央処理装置いわゆるＣＰＵを含んで構成され、当該基地局１２０を制御する。記憶部１７２は、ＲＯＭやＲＡＭ、フラッシュメモリ等で構成され、制御部１７０が実行するプログラムを記憶する。また、記憶部１７２は、各種情報を記憶する。無線通信部１７４は、ＬＴＥやＣＤＭＡ、ＷｉＭＡＸ等の所定の無線通信方式により携帯端末１１０と無線通信する。ネットワーク接続部１７６は、有線ネットワーク１３０と接続する。
【００２６】
図４は、携帯端末１１０のモード設定に関する流れ図である。図４に示すように、本実施形態では、携帯端末１１０の制御部１５０が消費電力削減モードを実行する場合に（ステップＳ２００ＹＥＳ）、当該携帯端末１１０が消費電力削減モードを実行することおよび消費電力削減モード実行時の間欠受信動作の受信処理を行うタイミングの間隔１０２ｂを含む情報を、無線通信部１５８を通じて基地局１２０に送信する（ステップＳ２０２）。基地局１２０の無線通信部１５８はこの情報を受信し、基地局１２０の制御部１７０が当該携帯端末１１０を識別可能な端末識別情報と関連付けて記憶部１７２にこの情報を記憶する（ステップＳ２０４）。なお、かかる情報をホームメモリ局等の外部の記憶装置に記憶するようにしてもよい。また基地局１２０の制御部１５０は、無線通信部１７４を通じて情報を受信したことを示す受付通知を携帯端末１１０へと送信する（ステップＳ２０６）。受付通知を携帯端末１１０の無線通信部１５８が受信すると（ステップＳ２０８ＹＥＳ）、携帯端末１１０の制御部１５０は間欠受信動作の受信処理を、消費電力削減モードの受信処理を行うタイミングの間隔１０２ｂで実行する（ステップＳ２１０）。受付通知を携帯端末１１０の無線通信部１５８が所定時間内に受信できなかった場合には（ステップＳ２０８ＮＯ）、ステップＳ２０２に戻り再び上述した情報を送信する。
【００２７】
携帯端末１１０の制御部１５０が通常モードを実行する場合には（ステップＳ２０２ＮＯ）、携帯端末１１０の制御部１５０は間欠受信動作の受信処理を、通常モードの受信処理を行うタイミングの間隔１０２ａで実行する（ステップＳ２１０）。
【００２８】
なお、携帯端末１１０の制御部１５０が消費電力削減モードを解除して通常モードに変更する場合、携帯端末１１０の制御部１５０が消費電力削減モードを解除することを含む情報を、無線通信部１５８を通じて基地局１２０に送信するとよい。そして、この情報を伝えられた基地局１２０の制御部１７０が、当該携帯端末１１０が消費電力削減モードを実行する際に記憶部１７２に記憶した情報を削除等するとよい。
【００２９】
なお、上述した情報の送信は本実施形態の例に限らず、通常モードを実行する場合に通常モードを実行しているという情報を送信し基地局１２０の記憶部１７２に記憶させてもよいし、位置登録時に併せてモード設定に関する情報を送信し基地局１２０の記憶部１７２に記憶させてもよい。
【００３０】
図５は、携帯端末１１０の着信に関する流れ図である。以下では、発信側（接続要求元）が他の携帯端末１１２であるものとする。図５に示すように、本実施形態では、基地局１２０の制御部１７０は他の携帯端末１１２から携帯端末１１０への音声通信の接続要求があると（ステップＳ２１２）、その記憶部１７２を参照して携帯端末１１０が消費電力削減モードを実行しているか否かを確認する。携帯端末１１０が消費電力削減モードを実行している場合には（ステップＳ２１４ＹＥＳ）、基地局１２０の制御部１７０はすぐに発信側（接続要求元）の他の携帯端末１１２に「ただいまおかけになった携帯は消費電力削減モードになっているため何秒お待ちください」と音声メッセージを送信する（ステップＳ２１６）。すなわち、他の携帯端末１１２に対し携帯端末１１０が消費電流電力削減モードを実行している旨（着信するまでの時間が延びている旨）と、記憶部１７２に記憶されたタイミングの間隔１０２ｂに基き着信予定時間を通知する。そして、携帯端末１１０は、間欠受信動作の受信処理を行うタイミング１０２で着信する（ステップＳ２１８）。一方、携帯端末１１０の制御部１５０が通常モードを実行している場合には通常の態様となる（ステップＳ２１４ＮＯ）。すなわち、通常の態様で着信する（ステップＳ２１８）。
【００３１】
なお、上記では音声通信の接続要求があった場合に音声メッセージを通知する構成について説明したが、本実施形態はこれに限られない。例えば、音声メッセージに限らず、他の携帯端末１１２の表示部の画面上にメッセージを表示させるように構成してもよいし、チャット等のデータ通信に適用してもよい。
【００３２】
図６は、携帯端末１１０の消費電力削減モードを実行する場合の基地局１２０との概略的な相互のやりとりを示した説明図である。図６に示すように、消費電力削減モードでは、通常モードの受信処理を行うタイミング１０２を間引いた間引き区間ができてしまうので、携帯端末１１０は最悪の場合、他の携帯端末１１２からの着信までに要する時間がこの間引き区間の分だけ延びてしまう。
【００３３】
しかし、上述したように無線通信システム１００では、携帯端末１１０が消費電力削減モードを実行している場合に、この携帯端末１１０に対し発信してくる他の携帯端末１１２に対しその旨を通知することができる。すなわち、着信するまでの時間が延びていることを通知することができる。したがって、発信側である他の携帯端末１１２に、電波状況が悪いのか端末の故障かといった疑念を抱かせてしまったり、応答する前に切られてしまったりすることを回避できる。とりわけ、このような疑念を抱かせるのは音声通信（電話）であるため、音声通信の接続要求に適用することで顕著な効果を奏することが可能である。また本実施形態では、具体的に着信予定時間を通知するので、待機させられる発信側の不快感を緩和することができる。
【００３４】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３５】
本発明は、携帯端末と基地局とを含む無線通信システム、携帯端末、基地局、および無線通信方法として利用可能である。
【符号の説明】
【００３６】
１００…無線通信システム、１０２…タイミング、１０２ａ、１０２ｂ…タイミングの間隔、１１０…携帯端末、１１２…他の携帯端末、１２０…基地局、１２２…他の基地局、１３０…有線ネットワーク、１４０…中継サーバ、１５０…制御部、１５２…記憶部、１５４…表示部、１５６…入力操作部、１５８…無線通信部、１６０…音声入力部、１６２…音声出力部、１７０…制御部、１７２…記憶部、１７４…無線通信部、１７６…ネットワーク接続部
【図１】
2013172299.tif 000003
【図２】
2013172299.tif 000004
【図３】
2013172299.tif 000005
【図４】
2013172299.tif 000006
【図５】
2013172299.tif 000007
【図６】
2013172299.tif 000008